(57)【要約】【課題】衝撃力の吸収と収納物の保護の両立を図ることができるランドセルを提供すること。【解決手段】本発明では、第１方向（前後方向）に対向する背当て部（２１）および前胴部（２２）と、マチ部（２３）と、前記前胴部、前記背当て部、および前記マチ部のそれぞれの下端に接続される底部（２４）とを備え、上端部に開口部（２５）が形成された箱状の胴部（２）を有するランドセル（１）において、前記底部の前記第１方向の長さ（Ｌ１）は、前記開口部の前記第１方向の長さ（Ｌ２）よりも短いことを特徴とする。本発明によれば、胴部において前胴部側の組織が構造的に弱くなるとともに、背当て部側の組織が構造的に強くなる。これにより、前胴部に衝撃が加わった際に、構造的に弱くなった前胴部側の組織により衝撃を緩和できる。前胴部側の組織が破壊されても、構造的に強くなった背当て部側の組織により、収納物を保護できる。【選択図】図２
2018143652.tif 000002
【特許請求の範囲】
【請求項１】
第１方向に対向する背当て部および前胴部と、前記第１方向の一端が前記背当て部に接続するとともに他端が前記前胴部に接続して互いに対向する２つのマチ部と、前記前胴部、前記背当て部、および前記マチ部のそれぞれの下端に接続される底部と、を備え、上端部に開口部が形成された箱状の胴部を有するランドセルにおいて、前記底部の前記第１方向の長さは、前記開口部の前記第１方向の長さよりも短いことを特徴とするランドセル。
【請求項２】
請求項１に記載のランドセルにおいて、
前記前胴部は、前記第１方向に前記背当て部と対向し、且つ背当て部より上下方向の長さが短い前胴本体と、前記前胴本体の下端部から前記底部へ延びる傾斜部とを備えることを特徴とするランドセル。
【請求項３】
請求項２に記載のランドセルにおいて、
基端部が前記背当て部に接続するとともに、先端部に第１ロック機構があり、前記開口部に被さるかぶせを備え、
前記傾斜部には、前記かぶせの前記先端部の前記傾斜部への固定および固定の解除を前記第１ロック機構と共に行う第２ロック機構があることを特徴とするランドセル。
【請求項４】
請求項１に記載のランドセルにおいて、
前記前胴部は、前記背当て部と対向し、且つ前記背当て部より上下方向の長さが短い前胴本体と、前記前胴本体の下端部から前記底部向けて曲面状に延びる曲面部と、を備えることを特徴とするランドセル。
【発明の詳細な説明】
【技術分野】
【０００１】
本発明は、ランドセルに加わった衝撃力を吸収しつつ、衝撃が加わった後でも所定の収納容量を確保できるランドセルの構造に関する。
【背景技術】
【０００２】
ランドセルは、６年間という長期に亘って児童により日常的に使用されるものであるため、その耐久性（特に、ランドセルの収納容量の確保）が非常に重視されるものである。そこで、ランドセルの耐久性を向上させるために、ランドセルを補強する技術が提案されている（例えば、特許文献１，２）。
【先行技術文献】
【特許文献】
【０００３】
【特許文献１】特開平９−１３１２０９号公報
【特許文献２】特開２００３−０９３１２６号公報
【発明の概要】
【発明が解決しようとする課題】
【０００４】
ランドセルには、耐久性の向上が求められているだけでなく、児童の安全を確保することも求められる。具体的には、児童の転倒などによって、ランドセルに衝撃が加わったときに、この衝撃力をランドセルで吸収して児童を保護することが求められる。
【０００５】
従来のように、ランドセルを補強すれば、ランドセルの強度を向上させることができるが、強度を向上させると、衝撃力がランドセルを介して児童に伝わりやすくなり、ランドセルによって衝撃力を吸収しにくくなってしまう。
【０００６】
ここで、ランドセルの胴部には、小物を収納するための収納部が設けられていることがあり、この収納部が蛇腹構造を有していることがある。この場合、蛇腹構造によって、衝撃力を吸収可能であるが、収納部は小物を収納するだけのサイズであるため、収納部の蛇腹構造だけでは、衝撃力を十分には吸収しにくい。当然のことながら、蛇腹構造の収納部が設けられていなければ、衝撃力を吸収することはできない。
【０００７】
そこで、衝撃力の吸収のため、胴部の補強を抑え、胴部を変形しやすくすることが考えられる。この場合、胴部に衝撃力が加わった際に、胴部全体が変形してしまい、教科書などの収納物を保護できなくなってしまう。
【０００８】
そこで、本発明の目的は、ランドセルに衝撃が加わったときの衝撃力の吸収と収納物の保護の両立を図ることができるランドセルを提供することを目的とする。
【課題を解決するための手段】
【０００９】
本発明のランドセルは、第１方向に対向する背当て部および前胴部と、前記第１方向の一端が前記背当て部に接続するとともに他端が前記前胴部に接続して互いに対向する２つのマチ部と、前記前胴部、前記背当て部、および前記マチ部のそれぞれの下端に接続される底部と、を備え、上端部に開口部が形成された箱状の胴部を有するランドセルにおいて、前記底部の前記第１方向の長さは、前記開口部の前記第１方向の長さよりも短いことを特徴とする。
【００１０】
本発明によれば、底部の第１方向の長さが、開口部の第１方向の長さよりも短いので、胴部において前胴部側の組織が構造的に弱くなるとともに、背当て部側の組織が構造的に強くなる。これにより、前胴部に衝撃が加わった際に、構造的に弱くなった前胴部側の組織により衝撃を緩和できる。そして、前胴部側の組織が破壊されても、構造的に強くなった背当て部側の組織により、収納物を保護できる。
【００１１】
本発明によれば、衝撃の緩和をジャバラ（蛇腹構造の収納部）によらずに行うことができるので、ジャバラを不要にできる。ジャバラを設けない場合、ジャバラを設けるために必要な第１方向の長さ分、胴部の第１方向の長さを長くすることができる。従って、本発明によれば、ランドセル全体の大きさを変更することなく胴部の容量を増加させることが可能となる。
【００１２】
本発明によれば、マチ部に新たな補強材を設けることなく上記作用を奏することができるので、ランドセルの重量を増大させることが無い。
以上から本発明によれば、ランドセルに衝撃が加わったときの衝撃力の吸収と収納物の保護の両立を行うことができ、かつ、ランドセルの重量の増大を抑制できるとともに、ランドセル全体の大きさを変更することなく胴部の容量を増大させることが可能になる。
【００１３】
本発明では、前記前胴部は、前記第１方向に前記背当て部と対向し、且つ背当て部より上下方向の長さが短い前胴本体と、前記前胴本体の下端部から前記底部へ延びる傾斜部とを備えていてもよい。
【００１４】
本発明では、前記前胴部は、前記背当て部と対向し、且つ前記背当て部より上下方向の長さが短い前胴本体と、前記前胴本体の下端部から前記底部向けて曲面状に延びる曲面部と、を備えていてもよい。
【００１５】
本発明によれば、かぶせを傾斜部で底部側、かつ背当て部側へ傾斜するようにガイドすることで、かぶせをより湾曲形状に保持でき、ランドセルの意匠性を良好にできるとともに、ランドセルの前胴部への衝撃をこの湾曲形状により緩和することができる。
【００１６】
本発明では、基端部が前記背当て部に接続するとともに、先端部に第１ロック機構があり、前記開口部に被さるかぶせを備え、前記傾斜部には、前記かぶせの前記先端部の前記傾斜部への固定および固定の解除を前記第１ロック機構と共に行う第２ロック機構があってもよい。
【００１７】
本発明によれば、傾斜部は前胴本体に比べて短くなりやすく、傾斜部上は、ポケット等の設置にも利用しづらいデッドスペースになりやすいところ、傾斜部上を第２ロック機構の設置場所として利用する。そのため、本発明によれば、傾斜部上を有効利用できる。また、本発明によれば、第２ロック機構の胴部への突き当て面が平らである場合、平板な傾斜部に第２ロック機構を設けることで、第２ロック機構を傾斜部に密着させて設けることができ、第２ロック機構をしっかりと胴部に取り付けることができる。
【図面の簡単な説明】
【００１８】
【図１】ランドセルを前胴部側から見た斜視図である。
【図２】ランドセルを背当て部側から見た斜視図である。
【図３】ランドセルの側面図である。
【図４】従来のランドセルを模式的に示す側面図である。
【図５】胴部の作用効果を説明するための側面図である。
【図６】ランドセルの胴部に対する圧縮試験の結果を示すグラフである。
【図７】第１変形例の胴部を模式的に示す側面図である。
【図８】第２変形例の胴部を模式的に示す側面図である。
【図９】第３変形例の胴部を模式的に示す側面図である。
【図１０】第４変形例のランドセルを模式的に示す側面図である。
【発明を実施するための形態】
【００１９】
以下、実施形態を図面に基づいて説明する。
図１は、ランドセル１を前胴部２２側から見た斜視図である。図２は、ランドセル１を背当て部２１側から見た斜視図である。以降、ランドセル１を前胴部２２が正面にくる視点で見た場合における前後左右上下方向を実施形態における前後左右上下方向とする。前方を該観測視における手前側、後方を該観測視における奥側とする。前後左右上下方向は互いに直交するものとする。図１、２および後述の図３における一点鎖線は、縫い目を示す。
【００２０】
ランドセル１は、胴部２、かぶせ３、および肩ベルト４を備える。
胴部２は、前後方向（第１方向）に対向する背当て部２１および前胴部２２と、前後方向の両端が背当て部２１および前胴部２２に接続して互いに左右方向に対向する一対のマチ部２３と、これら各要素２１〜２３の下端部に接続する底部２４とを備える。胴部２は、箱状であり、左右幅はＡ４フラットファイルを収容できる幅になっている。
【００２１】
胴部２の上端部には、開口部２５が形成されている。使用者は、かぶせ３を開けることで、開口部２５を介して胴部２内に教材等の収納物を出し入れできる。開口部２５は、背当て部２１、前胴部２２、およびマチ部２３の各上端部を含んで構成される。
【００２２】
図３は、ランドセル１の側面図である。
マチ部２３の上端部２３１において、前端部は前胴部２２と接続し、後端部は背当て部２１と接続する。マチ部２３の上端部２３１は、中央部が上方に突出し、かつ前端部が後端部よりも下方に位置する形状となっている。
【００２３】
マチ部２３の下端部２３２は、底部２４と接続している。下端部２３２の前後方向の長さＬ１は、底部２４の前後方向の長さＬ１と同一となる。マチ部２３の前端部２３３は前胴部２２に接続し、後端部２３４は背当て部２１に接続する。マチ部２３の下端部２３２の前後方向の長さＬ１は、マチ部２３の前端部２３３から背当て部２１（後端部２３４）までの前後方向の長さＬ２よりも短い。ここで、マチ部２３の前端部２３３から背当て部２１までの前後方向の長さＬ２は、開口部２５の前後方向の長さＬ２と略同一となる。従って、底部２４の長さＬ１は、開口部２５の長さＬ２よりも短くなる。本実施形態においては、底部２４の長さＬ１は、マチ部２３の長さＬ２の８５％程としている。
【００２４】
前胴部２２は、前胴本体２２１および傾斜部２２２を備える。前胴本体２２１および傾斜部２２２は、平板状である。傾斜部２２２は、前胴本体２２１の下端部２２５である折曲部２２３に、前胴本体２２１から下方かつ後方に折曲するように接続している。
【００２５】
折曲部２２３の底部２４からの高さＨ１は、前胴部２２の上端部の底部２４から高さＨ２に対し、本実施形態では２０％程とし、傾斜部２２２の前胴本体２２１に対する傾斜角度θは、本実施形態では２０°程としている。
【００２６】
なお、本実施形態における高さＨ１、Ｈ２の比率、長さＬ１、Ｌ２の比率、傾斜角度θの大きさは例示であり、本実施形態のものに限定されない。
【００２７】
図４は、従来のランドセル１Ｆを模式的に示す側面図である。
従来のランドセル１Ｆの前胴部２２Ｆには、ジャバラ２６Ｆが設置され、ジャバラ２６Ｆの前面にポケット２７Ｆが設置されている。ジャバラ２６Ｆの前後方向の長さを抑えるために、ベルト２８Ｆが設けられている。ベルト２８Ｆには、不図視のナスカン等のフックが設けられる。フックに引っ掛けられたものが底面部２４Ｆから下方に出すぎないように、ベルト２８Ｆは、底面部２４Ｆから上方に離れた位置に設置される。
【００２８】
従って、ベルト２８に抑えられるジャバラ２６Ｆの上端部も、底面部２４Ｆから上方に離れた位置に配置されることとなる。これにより、従来のランドセル１Ｆでは、前胴部２２Ｆの上下方向の長さと背当て部２１Ｆの上下方向の長さとがほぼ同一とされ、前胴部２２Ｆにおいて開口部２５Ｆを高い位置で開口させ、開口部２５Ｆがジャバラ２６Ｆと干渉しないようになっている。
【００２９】
このように、従来のランドセル１Ｆでは、開口部２５Ｆは、前胴部２２Ｆにおいて前方には開いておらず、上方に向けて開口している。そのため、使用者は、胴部２Ｆ内の収納物を上方から引っ張り出さなくてはならず、握力の小さい低年齢の使用者にとっては、収納物の取出しが大変であった。
【００３０】
図５は、胴部２の効果を説明するための側面図である。
一方、本実施形態のランドセル１では、前胴部２２にはジャバラを設けず直接ポケット２２４が設置されている。このように、本実施形態ではジャバラを設けていないため、開口部２５の設計の自由度が大きい。
【００３１】
そこで、本実施形態では、前述したように、マチ部２３の上端部２３１の前端部を後端部よりも下方に大きく下げることにより、前胴部２２において開口部２５を下方に大きく拡げている（図１）。これにより、本実施形態では、胴部２に収納された収納物を上からではなく前方斜め上から取り出すことが可能となった。
【００３２】
マチ部２３は、山なり形状の上端部２３１を水平に直線状とした場合に５角形となるような形状をしている。胴部２は、傾斜部２２２によって下部が前後方向に絞られた形状であり、底部２４の前後方向の長さＬ１が開口部２５の前後方向の長さＬ２よりも短い箱体となっている。
【００３３】
胴部２を、前後方向において、後端部２３４から底部２４の前端部２４１までの部分である本体収納部Ｓ１と、底部２４の前端部２４１から胴部２の前端部２３３までの部分である容量増加部Ｓ２とに分けて考える。本体収納部Ｓ１は、底部２４が平らであり、前後方向にわたって内部空間の高さが十分にあるので、本体収納部Ｓ１には大型教材を入れることができる。しかし、容量増加部Ｓ２については、底部が傾斜部２２２となっており上方にせりあがっているので、上下方向の長さが全体としては本体収納部Ｓ１よりも短くなる。
【００３４】
そのため、容量増加部Ｓ２には、大型教材を入れることはできず、筆箱や、小型教材等の小物収納物を入れることになる。この小物収納物を取り出した場合には、容量増加部Ｓ２が隙間となる。すると、本体収納部Ｓ１内の収納物が、容量増加部Ｓ２側に斜めに倒れた状態となる場合がある。この場合、収納物の上端部が開口部２５から飛び出す形となるため、より前方斜め上から収納物を容易に取り出すことが可能である。
【００３５】
図６は、ランドセル１，１Ｆの胴部２，２Ｆに対する圧縮試験の結果を示すグラフ（Ａ）、（Ｂ）である。ランドセル１の底部２４（の長さＬ１）は６ｃｍ、背当て部２１は３３ｃｍ、前胴本体２２１は２８ｃｍ、開口部２５（の長さＬ２）は１２ｃｍとなっている。従来のランドセル１Ｆの底部２４Ｆ（の長さＬ１）は１２ｃｍ、背当て部２１Ｆは３３ｃｍ、前胴部２２Ｆは３３ｃｍ、開口部２５Ｆは１２ｃｍとなっている。
【００３６】
本試験では、本実施形態の前胴部２２における折曲部２２３の上側（前胴部２２の下端から１０ｃｍ上方）に板を載せた後、前胴部２２から背当て部２１に向けて荷重をかけて胴部２を押しつぶし、押しつぶし距離（ｍｍ）と荷重（Ｎ）の関係を調べた。該試験結果を示すのがグラフ（Ａ）である。また、本試験では、従来の前胴部２２Ｆの下端から１０ｃｍ上方に板を載せ、前胴部２２Ｆから背当て部２１Ｆに向けて荷重をかけて胴部２Ｆを押しつぶし、同様に押しつぶし距離（ｍｍ）と荷重（Ｎ）の関係を調べた。該試験結果を示すのがグラフ（Ｂ）である。グラフ（Ａ）、（Ｂ）の横軸は押しつぶし距離（ｍｍ）、縦軸は荷重（Ｎ）の大きさを示す。
【００３７】
従来のランドセル１Ｆでは、グラフ（Ｂ）に示されるように、２７ｍｍ圧縮されて６６３Ｎがかかる地点Ｂ１までは、弾性的に変形することがわかる。そして、従来のランドセル１Ｆでは、地点Ｂ１を超えて圧縮されると急激に負荷が減少することから、地点Ｂ１で組織が破壊されたことがわかる。従って、地点Ｂ１を降伏点Ｂ１と模すことができる。このような従来のランドセル１Ｆでは、前胴部２２Ｆに強い衝撃が加わった場合、ランドセル１Ｆは、降伏点Ｂ１までは反発しながら圧縮され、降伏点Ｂ１まで圧縮されると、破壊されることがわかる。
【００３８】
本実施形態のランドセル１では、グラフ（Ａ）に示されるように、まず、４９ｍｍ圧縮されて４１７Ｎがかかる地点Ａ１までは、弾性的に変形することがわかる。そして、ランドセル１では、地点Ａ１を超えて圧縮されると負荷が減少することから、地点Ａ１で組織が破壊されたことがわかる。従って、地点Ａ１を降伏点Ａ１と模すことができる。また、ランドセル１では、さらに圧縮されていくと、６８ｍｍ圧縮されて１１７２Ｎがかかる地点Ａ２までは、再び弾性的に変形することがわかる。そして、ランドセル１では、地点Ａ２を超えて圧縮されると負荷が急激に減少することから、地点Ａ２でも再び組織が破壊されたことがわかる。従って、地点Ａ２を降伏点Ａ２と模すことができる。
【００３９】
このように、グラフ（Ａ）から、本実施形態のランドセル１は、胴部２，２Ｆに荷重が加わった際に２段階で破壊されることがわかる。グラフ（Ａ）は、胴部２に傾斜部２２２が設けられて底部２４の長さＬ１が開口部２５の長さＬ２よりも短くなっている影響により、まず、容量増加部Ｓ２が収納本体部Ｓ１よりも早く降伏点Ａ１に至って破壊されることを示している。ランドセル１は、従来のランドセル１Ｆの降伏点Ｂ１の荷重よりも低い荷重で降伏点Ａ１に至ることがわかる。容量増加部Ｓ２には傾斜部２２２が設けられているため、容量増加部Ｓ２は、矩形の箱状の従来の胴部２Ｆに比べて構造的に弱くなっているのである。
【００４０】
また、グラフ（Ａ）は、容量増加部Ｓ２の破壊の後も、収納本体部Ｓ１が引き続き弾性変形し、降伏点Ａ２に至ると破壊されることを示している。ランドセル１は、従来のランドセル１Ｆの降伏点Ｂ１、および降伏点Ａ１の荷重よりも高い荷重で降伏点Ａ２に至ることがわかる。
【００４１】
すなわち、本実施形態のランドセル１では、前胴部２２への衝撃に対し、まず、容量増加部Ｓ２が破壊され、衝撃を緩和する。ランドセル１は従来のランドセル１Ｆを破壊するのに必要な力よりも弱い力では破壊されようになっており、衝撃を吸収しやすい構成にされている。
【００４２】
続いて、本実施形態では、収納本体部Ｓ１が弾性変形する。ここで、収納本体部Ｓ１の降伏点Ａ２は従来のランドセル１Ｆの降伏点Ｂ１よりも高いことから、収納本体部Ｓ１は、従来のランドセル１Ｆよりも強い構造であることがわかる。従って、本実施形態では、前胴部２２への衝撃に対し、大型教材等を収納する収納本体部Ｓ１が従来のランドセルよりも強い構造とされているので、収納物の保護を十分に図ることができる。
【００４３】
【数１】
2018143652.tif 000003
【００４４】
ここで、マチ部２３を前後方向に圧縮した際の座屈荷重について、柱の座屈荷重の算出式であるオイラーの式（１）を参照して考察する。Ｐは座屈荷重、ｍは両端の固定方法で決まる定数、Ｅは縦弾性係数、Ｉは断面二次モーメントである。断面二次モーメントＩとは、曲げモーメントに対する変形のしにくさを表した量である。Ｌは柱（マチ部２３）の前後方向の長さである。座屈荷重Ｐは座屈が発生するときの荷重を指すため、座屈荷重Ｐの値が大きいほど座屈が発生しにくいことを表す。マチ部２３を前後方向に圧縮した際の座屈応力については、柱の座屈応力の算出式であるオイラーの式（２）を用いて考察する。式（２）は、式（１）を柱の断面積で除算したものである。λは柱（マチ部２３）の細長比、Ｅは縦弾性係数とする。
【００４５】
式（１）から、胴部２の容量を増加させるために、胴部２の長さＬ２を大きくすると、Ｌが増加して座屈荷重Ｐが下がってしまい、胴部２の強度が弱くなることがわかる。そこで、従来は、胴部２Ｆの長さＬ２を長くした際には、胴部２Ｆの強度の減少を補うために、マチ部２３Ｆに設けられる補強材の厚さや大きさを増加させていた。これにより、従来は、縦弾性係数Ｅを大きくして座屈荷重Ｐを維持し、ランドセル１Ｆの強度を確保していた。
【００４６】
しかし、マチ部２３Ｆに設ける補強材の厚さや大きさの増加は、ランドセル１Ｆの重量の増加につながり、好ましくない。そもそも、近年、小学校で使用される教科書やノートの大型化、教材の多種多様化、授業数の増加などを受けて、ランドセル１Ｆの収納容量は増加する傾向にあり、この収納容量の増加に伴ってランドセル１Ｆが大型化している。そのため、収納物の増加及びランドセル１Ｆの重量そのものが増加しており、使用者の負担を考えると、これ以上の重量の増加は好ましくない。また、ランドセル１Ｆの重量の増加は、使用者がランドセル１Ｆを背負った際の後方への重心移動の引き金になるおそれがあり、安全性の観点からも好ましくない。
【００４７】
式（１）から、柱の長さＬを小さくすることで座屈荷重Ｐの値を大きくすることができることがわかる。本実施形態においては、本体収納部Ｓ１の前後方向の長さＬ１（底部２４の長さＬ１）は、従来の胴部２Ｆの前後方向の長さＬ２（開口部２５の長さＬ２）よりも短い。そのため、本体収納部Ｓ１の降伏点Ａ２の圧力は、従来のランドセル１Ｆの降伏点Ｂ１の圧力よりも高くなっており、本体収納部Ｓ１が従来の胴部２Ｆよりも構造的に強くなっていることが分かる。
【００４８】
すなわち、本実施形態では、胴部２における底部２４の長さＬ１を開口部２５の長さＬ２よりも短くすることにより、胴部２に収納本体部Ｓ１および容量増加部Ｓ２という機能部を付与している。そして、胴部２に強い衝撃が加わった際には、容量増加部Ｓ２が衝撃緩和機能を果たし、収納本体部Ｓ１が収納物の保護機能を果たす。本実施形態では、このような作用効果を、胴部２に必要以上に補強材を用いなくても奏することができる、すなわち、ランドセル１の重量の増大を抑制しつつ、該作用効果を奏することができる。
【００４９】
本実施形態では、ランドセル１にジャバラを設けないので、ジャバラを設けるために必要とした前後方向の長さ分、胴部２の前後方向の長さを長くすることができ、ランドセル１全体の大きさを変更することなく胴部２の容量を増加することができる。
【００５０】
その他本実施形態におけるランドセル１の特徴を簡略に説明する。図１に戻って、かぶせ３の先端部における左右方向の中央には、縦に長い穴３２の開いた金属製の錠前金具３１（第１ロック機構）が設けられている。
【００５１】
傾斜部２２２は、平面視矩形形状であり、下方かつ後方へ傾斜する。傾斜部２２２と前胴本体２２１との境界には、左右方向に亘って直線状の折曲部２２３が形成される。傾斜部２２２における左右方向の中央には、金属製の錠前本体２２６（第２ロック機構）が取り付けられている。錠前本体２２６には、回転可能なつまみ２２７が設けられている。かぶせ３を閉じると、錠前金具３１の穴３２の中に縦方向の姿勢のつまみ２２７が位置付けられる。該つまみ２２７を横方向に９０°回転させることで施錠でき、該状態からつまみ２２７を再度縦方向に９０°回転させることで開錠できる。
【００５２】
本実施形態では、マチ部２３の上端部２３１の形状が、前端部側が後端部側よりも下方に下がった山なり形状であるので、マチ部２３の上端部２３１によってかぶせ３を急な角度で下方へ案内できる。これにより、本実施形態では、かぶせ３を前後方向の長さが小さい湾曲形状にできるので、ランドセル１の前後方向の大型化を抑えることができる。
【００５３】
本実施形態では、前胴本体２２１が、前後方向（底面部２４）に直交する平面方向に沿っているので、前胴本体２２１と、後方側へ湾曲するかぶせ３と、の間に隙間が生じる。本実施形態では、この隙間にポケット２２４を設けることできるので、十分な収納力を確保できる。また、本実施形態では、傾斜部２２２でかぶせ３を下方、かつ後方へ傾斜するようにガイドできるので、かぶせ３を閉めた際に、かぶせ３をより湾曲形状にでき、ランドセル１の意匠性を良好にできる。
【００５４】
本実施形態では、平板な傾斜部２２２に錠前本体２２６を設けるので、錠前本体２２６を傾斜部２２２に容易に密着させて取り付けることができる。
【００５５】
（第１変形例）
図７は、第１変形例の胴部２Ａを模式的に示す側面図である。図７では、ポケット２２４等の図示を省略している。
胴部２Ａの下部における絞りは、前記実施形態では傾斜部２２２により実現されていたが、該構成に限定されず、例えば曲部２２２Ａにより実現されていてもよい。すなわち、前胴部２２Ａは、背当て部２１と対向する前胴本体２２１と、前胴本体２２１の下端部から底部２４へ延びるＲ状の曲部２２２Ａとを備えていてもよい。
【００５６】
（第２変形例）
図８は、第２変形例の胴部２Ｂを模式的に示す側面図である。図８でも、ポケット２２４等の図示を省略している。
前記実施形態および第１変形例では、前胴本体２２１は、前後方向に直交する平面方向に沿っており、胴部２、２Ａの下部のみが傾斜部２２２または曲部２２２Ａにより絞られていた。しかし、本第２変形例のように、前胴部２２Ｂ全体が、下方かつ、後方へ傾斜するテーパ状になっていることにより、胴部２Ｂの下部が絞られていてもよい。
【００５７】
第１、第２変形例の胴部２Ａ、２Ｂでも、共に、底部２４の前後方向の長さＬ１が、胴部２の開口部２５の前後方向の長さＬ２よりも短くなっているので、補強材によるランドセル１の重量の増加を抑えつつ、ランドセル１の十分な強度を確保できる。
【００５８】
前記実施形態および第１、第２変形例では、前胴部２２、２２Ａ、２２Ｂ上にポケット２２４が設けられていた。しかし、ランドセルを小型化する必要はなく軽量化について、マチ部の補強材がないことをもって十分だという場合においては、前胴部２２上にジャバラが設けられていてもよい。この場合であっても、本発明により軽量でより容量の大きいランドセルを提供することが可能である。
【００５９】
前記実施形態では、胴部２（傾斜部２２２）に直接、胴部２側のロック機構が設けられていた。しかし、胴部２（例えば前胴本体２２１または傾斜部２２２）上にポケットが設けられ、該ポケット上に胴部２側のロック機構、例えばバックル（差し込み錠）のメス側が設けられ、かぶせ３側に、該かぶせ３側のロック機構、例えばバックルのオス側が設けられてもよい。
【００６０】
前記実施形態では、かぶせ３は、傾斜部２２２の下端部まで覆っていたが、開口部２５を覆っていればよく、かぶせ３を閉めた際の先端部の位置は、傾斜部２２２上であっても前胴本体２２１上であってもよい。
【００６１】
（第３変形例）
図９は、第３変形例の胴部２Ｃを模式的に示す側面図である。図９でも、ポケット２２４等の図示を省略している。
前記実施形態では、前胴本体２２１は、底部２４と直交する方向に延びているが、前胴本体２２１は、底部２４と直交する方向に延びていなくてもよい。本第３変形例では、前胴本体２２１は、底部２４と直交する方向に対し、上端部側が前方側に倒れるように若干傾斜している。なお、前胴本体２２１は、底部２４と直交する方向に対し、上端部側が後方側に倒れるように傾斜していてもよい。
【００６２】
（第４変形例）
図１０は、第４変形例のランドセル１Ｄを模式的に示す側面図である。図１０では、肩ベルト４等の図示を省略している。
前記実施形態および第１〜第３変形例では、前胴部２２、２２Ａ、２２Ｂ、２２Ｃ上にポケット２２４が設けられていた。しかし、本第４変形例のランドセル１Ｄでは、前胴部２２にポケット２２４が設けられていない。この場合、かぶせ３の素材にヌメ皮等の柔らかい皮革を用いることで、かぶせ３を前胴部２２に沿わせるように設けることができる。本第４変形例でも、底部２４の前後方向の長さＬ１が、胴部２の開口部２５の前後方向の長さＬ２よりも短くなっているので、補強材によるランドセル１Ｄの重量の増加を抑えつつ、ランドセル１Ｄの十分な強度を確保できる。
【符号の説明】
【００６３】
１、１Ｄ…ランドセル、２、２Ａ、２Ｂ、２Ｃ…胴部、３…かぶせ、２１…背当て部、２２、２２Ａ、２２Ｂ、２２Ｃ…前胴部、２３…マチ部、２４…底部、２５…開口部、３１…錠前金具（第１ロック機構）、２２１…前胴本体、２２２…傾斜部、２２３…ポケット、２２６…錠前本体（第２ロック機構）、Ｌ１…底部の第１方向の長さ、Ｌ２…開口部の第１方向の長さ。
【図１】
2018143652.tif 000004
【図２】
2018143652.tif 000005
【図３】
2018143652.tif 000006
【図４】
2018143652.tif 000007
【図５】
2018143652.tif 000008
【図６】
2018143652.tif 000009
【図７】
2018143652.tif 000010
【図８】
2018143652.tif 000011
【図９】
2018143652.tif 000012
【図１０】
2018143652.tif 000013